(57)【要約】【課題】リーダ／ライタと非接触ＩＣカードのアンテナ距離によってヌルが発生する場合でも、位相情報を用いた復調処理によって復号データを得る。【解決手段】ホスト側の第１のアンテナから送信された搬送波を端末側の第２のアンテナを介して受信し端末側において搬送波を振幅変調することでホスト側にデータを送信する非接触通信において、ホスト側でデータを受信する受信装置であって、第１のアンテナから検出した搬送波を振幅復調して第１の復調出力を出力する振幅復調手段と、第１のアンテナから検出した搬送波に含まれる位相情報を抽出する位相情報抽出手段と、位相情報抽出手段が抽出した位相情報を復調処理して第２の復調出力を出力する位相情報復調手段と、第１及び第２の復調出力の振幅を検出する振幅検出手段と、振幅検出手段の検出結果に基づいて第１及び第２の復調出力の一方を選択して出力する選択手段とを具備したことを特徴とする。【選択図】図１
2009271775.tif 000002
【特許請求の範囲】
【請求項１】
ホスト側の第１のアンテナから送信された搬送波を端末側の第２のアンテナを介して受信し前記端末側において前記搬送波を振幅変調することで前記ホスト側にデータを送信する非接触通信において、前記ホスト側で前記データを受信する受信装置であって、
前記第１のアンテナから検出した前記搬送波を振幅復調して第１の復調出力を出力する振幅復調手段と、
前記第１のアンテナから検出した前記搬送波に含まれる位相情報を抽出する位相情報抽出手段と、
前記位相情報抽出手段が抽出した位相情報を復調処理して第２の復調出力を出力する位相情報復調手段と、
前記振幅復調手段及び位相情報復調手段の第１及び第２の復調出力の振幅を検出する振幅検出手段と、
前記振幅検出手段の検出結果に基づいて前記振幅復調手段及び位相情報復調手段の第１及び第２の復調出力の一方を選択して出力する選択手段と
を具備したことを特徴とする受信装置。
【請求項２】
前記選択手段は、
初期状態では、前記位相情報復調手段の第２の復調出力を選択して出力し、
前記振幅復調手段及び位相情報復調手段の第１及び第２の復調出力から同期信号が検出されると、前記振幅検出手段の検出結果に基づく選択を行う
ことを特徴とする請求項１に記載の受信装置。
【請求項３】
前記選択手段は、
前記振幅復調手段及び位相情報復調手段の第１及び第２の復調出力のいずれか一方から同期信号が検出された場合には、前記振幅検出手段の検出結果に拘わらず、同期信号が検出された復調出力を選択する
ことを特徴とする請求項１又は２に記載の受信装置。
【請求項４】
前記選択手段は、
前記振幅検出手段によって検出された前記振幅復調手段の第１の復調出力の振幅が所定の振幅以上である場合には、前記振幅復調手段の第１の復調出力が選択する
ことを特徴とする請求項１に記載の受信装置。
【請求項５】
前記位相情報復調手段は、
前記第１のアンテナに供給するために前記ホスト側で発生した搬送波と前記第１のアンテナから検出した搬送波との排他的論理和演算結果を積分することにより、前記第２の復調出力を得る
ことを特徴とする請求項１乃至４のいずれか１つに記載の受信装置。
【発明の詳細な説明】
【技術分野】
【０００１】
本発明は、非接触通信を行うホスト側の受信装置に関する。
【背景技術】
【０００２】
近年、携帯電話や無線タグ及び非接触ＩＣカード等の携帯可能な情報機器が普及してきている。これらの情報機器の非接触通信機能を利用して、駅の改札等を電子化する電子改札や電子マネー等が導入されている。
【０００３】
非接触通信を行う情報機器の端末側としては、例えば非接触ＩＣカード等が採用され、ホスト側としてはリーダ/ライタが採用される。一般的には、非接触ＩＣカードで使用する電力は、リーダ／ライタから発信される電波を利用して発生させる。例えば、電磁誘導方式を採用し、リーダ／ライタのアンテナコイルに流した電流によって発生する交流磁界中に非接触ＩＣカードを入れることで、非接触ＩＣカードのアンテナコイルに交流電圧を誘起させることができる。非接触ＩＣカードは、発生した交流電圧を直流電圧に変換して、内部回路を駆動するようになっている。
【０００４】
リーダ/ライタに発生する交流磁界は、所定周波数の搬送波をリーダ／ライタのアンテナコイルに供給することで得られる。この搬送波を変調することで、リーダ/ライタから非接触ＩＣカードに対して情報を送信することができる。変調方式としては、例えば、ＡＳＫ変調等が採用される。
【０００５】
また、例えば、非接触ＩＣカードのアンテナコイルを含む共振回路に接続する負荷を変化させることで、アンテナコイル同士が電磁結合されたリーダ/ライタ側においてアンテナコイルに流れる電流を変化させることができる。共振回路の負荷はロードスイッチのスイッチングによって変化させることができる。即ち、ロードスイッチによって負荷を変化させて、リーダ／ライタと非接触ＩＣカードとの間で送受される搬送波の振幅を変化させて、非接触ＩＣカードからリーダ／ライタに向けて情報の伝送が可能となる。
【０００６】
ところで、伝送される搬送波の振幅は、リーダ／ライタのアンテナコイルと非接触ＩＣカードのアンテナコイルとの間の距離に応じても変化する。距離が大きいほど、搬送波振幅が小さくなる傾向を有する。ところが、搬送波振幅と距離との関係は、ロードスイッチをオンにしたときとオフにしたときとで異なり、例えば、ロードスイッチオン時にはロードスイッチオフ時に比べて、搬送波振幅は距離の影響を受けにくい。このため、距離によっては、ロードスイッチオン時とオフ時とで、搬送波振幅の大小が逆転することがある。そして、ある距離では、ロードスイッチのオン時とオフ時の搬送波振幅が一致することがある。
【０００７】
即ち、この場合には、ロードスイッチのオン時とオフ時とで、搬送波振幅の変化が０となり、情報を伝送することができない。このようなヌルの発生を回避するために、アンテナの調整及び同調周波数の調整等を行う必要がある。しかしながら、このような調整だけでは、全てのリーダ／ライタと非接触ＩＣカードとの組み合わせについてヌルの発生を回避することは不可能であるという問題点があった。
【０００８】
なお、特許文献１には、２個の受信チャンネルを備えて、選択基準に応じて受信チャンネルを選択的に動作させることにより、干渉に強い非接触通信を可能にする技術が開示されている。しかしながら、特許文献１の提案においても、アンテナ間の距離によって発生するヌルを防止することはできない。
【特許文献１】特開２００２−５２１７５８号公報
【発明の開示】
【発明が解決しようとする課題】
【０００９】
本発明は、ヌルの発生に拘わらず、データを確実に受信することができる受信装置を提供することを目的とする。
【課題を解決するための手段】
【００１０】
本発明の一態様の受信装置は、ホスト側の第１のアンテナから送信された搬送波を端末側の第２のアンテナを介して受信し前記端末側において前記搬送波を振幅変調することで前記ホスト側にデータを送信する非接触通信において、前記ホスト側で前記データを受信する受信装置であって、前記第１のアンテナから検出した前記搬送波を振幅復調して復調出力を出力する振幅復調手段と、前記第１のアンテナから検出した前記搬送波に含まれる位相情報を抽出する位相情報抽出手段と、前記位相情報抽出手段が抽出した位相情報を復調処理して復調出力を出力する位相情報復調手段と、前記振幅復調手段及び位相情報復調手段の復調出力の振幅を検出する振幅検出手段と、前記振幅検出手段の検出結果に基づいて前記振幅復調手段及び位相情報復調手段の復調出力の一方を選択して出力する選択手段とを具備したことを特徴とする。
【発明の効果】
【００１１】
本発明によれば、ヌルの発生に拘わらず、データを確実に受信することができるという効果を有する。
【発明を実施するための最良の形態】
【００１２】
以下、図面を参照して本発明の実施の形態について詳細に説明する。図１は本発明の一実施の形態に係る受信装置を示す回路図である。本実施の形態は非接触通信を行う情報機器のホストとしてリーダ／ライタを採用し、端末として非接触ＩＣカードを採用した例について説明する。図２はリーダ／ライタ及び非接触ＩＣカードの概略構成を示す回路図である
先ず、図２を参照してリーダ／ライタ及び非接触ＩＣカードの概略構成について説明する。リーダ／ライタ４１及び非接触ＩＣカード５１は、夫々アンテナ４６，４７を有し、アンテナ４６，４７を介して相互に情報の伝送が可能である。
【００１３】
リーダ／ライタ４１の制御部４２は、リーダ／ライタ４１内の各部を制御する。発振部４３は、所定周波数の搬送波を発生し、送信部４４に出力する。送信部４４は、制御部４２に制御されて、搬送波をアンテナ４６に供給する。非接触ＩＣカード５１に送信する送信データについては、制御部４２は外部から入力データとして取込んで、符号化処理を施す。制御部４２は、例えば、ＮＲＺ（Non Return to Zero）符号化、ミラー符号化又はマンチェスター符号化等によって送信データを符号化する。
【００１４】
送信部４４は、制御部４２に制御されて、搬送波を送信データによって変調する。変調方式としては、例えば、ＡＳＫ変調が採用される。送信部４４は送信データによって変調された搬送波をアンテナ４６に供給する。このように、アンテナ４６からは、搬送波のみが送信される場合と、送信データによって変調された搬送波が送信される場合とがある。
【００１５】
非接触ＩＣカード５１の制御部５２は、非接触ＩＣカード５１内の各部を制御する。電源／受信部５３は、アンテナ５７に誘起した信号を取り込む。電源／受信部５３は、アンテナ４６，５７の例えば電磁結合によってアンテナ５７に発生した交流電圧を、非接触ＩＣカード５１内の電源として、直流電圧に変換して用いる。また、電源／受信部５３は、ＡＳＫ変調された搬送波を復調して、変調前の送信データを取り出して制御部５２に出力する。制御部５２は、受信したデータに基づいて各種処理を行う。
【００１６】
例えば、制御部５２は、受信したデータに応答して、メモリ５４からデータを読み出す。制御部５２は、メモリ５４からのデータに所定の符号化、例えばマンチェスター符号化を施す。制御部５２は、マンチェスター符号化したデータに基づいて、ロードスイッチ５６をオン，オフ制御する。アンテナ５７（図示しない共振回路を含む）は負荷５５及びロードスイッチ５６を介して基準電位点に接続されている。ロードスイッチ５６のオン，オフによって、アンテナ５７に接続される負荷が変動することになる。これにより、アンテナ５７と電磁結合しているアンテナ４６に流れる電流振幅が変化する。
【００１７】
リーダ／ライタ４１の受信部４５は、アンテナ４６の搬送波を抽出する。アンテナ４６に現れる搬送波の振幅は、非接触ＩＣカード５１のロードスイッチ５６のオン，オフによって変化する。受信部４５はこのような受信搬送波の振幅の変化によって、非接触ＩＣカード５１の送信データを取得することができ、取得したデータを制御部４２に出力する。制御部４２は、受信部４５において受信したデータを外部に出力データとして出力する。
【００１８】
ところで、アンテナ４６，５７間の距離によっては、ロードスイッチ５６のオン時とオフ時におけるアンテナ４６の搬送波振幅が一致することがある。即ち、この場合には、搬送波振幅の検出では、非接触ＩＣカード５１の送信データを検出することはできない。
【００１９】
そこで、本実施の形態においては、搬送波の振幅情報だけでなく、位相情報を用いて復調を行うようになっている。非接触ＩＣカード５１からリーダ／ライタ４１に送信するデータは、搬送波振幅を変化させるＡＳＫ変調が施されている。しかし、実際には、ロードスイッチ５６のオン，オフによってアンテナ５７に接続される負荷を変動させると、リーダ／ライタ４１のアンテナ４６に供給される搬送波は、振幅だけでなく位相も変化する。本実施の形態においては、この位相を検出することで、非接触ＩＣカード５１からリーダ／ライタ４１への送信データの取得を行うようになっている。
【００２０】
図３は横軸に時間をとり縦軸に位相をとって受信搬送波の位相の変化を示す波形図である。
【００２１】
図３はＨによって示す期間はロードスイッチ５６のオン，オフによって受信搬送波の振幅がハイ（Ｈ）レベルとなるべき期間を示し、Ｌによって示す期間はロードスイッチ５６のオン，オフによって受信搬送波の振幅がロー（Ｌ）レベルとなるべき期間であることを示している。図３に示すように、受信搬送波の振幅がＨレベルとなるべきＨ期間には例えば位相が進み、ＬレベルとなるべきＬ期間には例えば位相が遅れる。従って、例え受信搬送波の振幅の変化を検出することができない場合でも、受信搬送波の位相を検出することで、ロードスイッチ５６のオン，オフによるデータを検出することができる。
【００２２】
図１は図２中の受信部４５の具体的な構成を示している。
【００２３】
アンテナ４６からの受信搬送波は振幅復調回路１１及びキャリア抽出回路２１に供給される。振幅復調回路１１は、受信復調波の上述した振幅の変化を検出する。これにより、振幅復調回路１１は、ロードスイッチ５６のオン，オフに基づくデータを取得する。非接触ＩＣカード５１においてデータにマンチェスター符号化を施した場合には、振幅復調回路１１の出力はマンチェスター符号となる。振幅復調回路１１の出力は復号回路１２に供給される。復号回路１２は、入力された符号を復号する。これにより、非接触ＩＣカード５１においてマンチェスター符号化する前のデータが得られる。復号回路１２は、復号化によって得たデータをセレクタ１３に出力する。
【００２４】
一方、キャリア抽出回路２１は、受信搬送波から搬送波を抽出してＥＸＯＲ２２に出力する。ＥＸＯＲ２２には、発振部４３の搬送波周波数の発振クロックも与えられている。ＥＸＯＲ２２は２入力の排他的論理和を求めて演算結果をローパスフィルタ２４に出力する。ローパスフィルタ２４は抵抗Ｒ１及びコンデンサＣ１によって構成されており、ＥＸＯＲ２２の出力を積分して増幅器２５に出力する。
【００２５】
図４は発振部４３からの発振クロック（ＯＳＣ）、キャリア抽出回路２１からの搬送波（再生キャリア）及びＥＸＯＲ２２の出力を示す波形図である。いま、発振部４３からの発振クロックに対して、キャリア抽出回路２１から図４に示すように位相がずれた再生キャリアが得られるものとする。例えば、時間Ｔ１だけ位相が遅れた再生キャリアは、ロードスイッチ５６のオン，オフによって受信搬送波の振幅がＨレベルとなるべき期間の再生キャリアを示している。一方、時間Ｔ２だけ位相が遅れた再生キャリアは、ロードスイッチ５６のオン，オフによって受信搬送波の振幅がＬレベルとなるべき期間の再生キャリアを示している。
【００２６】
ＥＸＯＲ２２からは、位相遅れ時間Ｔ１，Ｔ２に応じたデューティーのパルスが得られる。従ってＥＸＯＲ２２の出力を積分することで、図３に示すように、位相の変化に応じた振幅を有する波形を得ることができる。ローパスフィルタ２４は、ロードスイッチ５６のオン，オフに基づく受信搬送波の位相の変化に応じた振幅の位相検出出力を得る。位相検出出力はアンプ２５に与えられる。
【００２７】
アンプ２５は位相検出出力を増幅して復号回路２６に出力する。位相検出出力は、ロードスイッチ５６のオン，オフに基づくデータであり、非接触ＩＣカード５１においてデータにマンチェスター符号化を施した場合には、振幅復調回路１１の出力と同様に、マンチェスター符号である。復号回路２６は復号回路１２と同様の復号化処理によって、元のデータを復元する。復号回路２６の出力はセレクタ１３に与えられる。
【００２８】
このように本実施の形態においては、復号回路１２からは振幅復調処理に基づく復号データが得られ、復号回路２６からは位相情報の検出結果に基づく復号データが得られる。本実施の形態においては、セレクタ１３は後述する判定部３４からの制御信号によって、復号回路１２，２６の出力の一方を選択してフリップフロップ３６に出力するようになっている。フリップフロップ３６は所定のタイミングでセレクタ１３の出力を制御部４２に出力する。
【００２９】
判定部３４において判定を行うために、振幅検出回路３１，３２が設けられている。振幅検出回路３１は復調回路１１の出力の振幅を検出して比較器３３に出力し、振幅検出回路３２はローパスフィルタ２４の出力の振幅を検出して比較器３３に出力する。比較器３３は２入力の大小を判定し、判定結果を判定部３４に出力する。比較器３３の判定結果は、振幅復調回路１１の出力の振幅とローパスフィルタ２４の出力の振幅のいずれが大きいかを示す。
【００３０】
判定部３４には復号回路１２，２６から、同期検出結果が与えられる。図５はリーダ／ライタ４１と非接触ＩＣカード５１との間で送受されるデータのデータフォーマットの一例を示している。図５の例では、送受されるデータの先頭にはプリアンプルが設けられ、次いで同期検出用のコードＳＹＮＣ、データ長、データ及び誤り検出符号ＣＲＣが設けられる。復号回路１２，２６は、データ中に含まれる同期検出用のコードＳＹＮＣを検出すると、同期検出を示す同期検出結果を判定部３４に出力するようになっている。
【００３１】
判定部３４は、初期状態では、復号回路２６の出力を選択させるための判定結果に基づく制御信号をセレクタ１３に出力する。また、判定部３４は、同期検出を示す検出結果が復号回路１２，２６の一方から与えられた場合には、その復号回路の出力を選択させるための制御信号をセレクタ１３に出力する。また、判定部３４は、同期検出を示す検出結果が復号回路１２，２６の両方から与えられた場合には、比較器３３の出力に基づく制御信号をセレクタ１３に出力する。
【００３２】
判定部３４はフリップフロップ３５を有しており、同期検出用のコードＳＹＮＣの検出を示す検出結果によってフリップフロップ３５を駆動することで、同期検出直後のタイミングで比較器３３の出力に基づく判定結果を出力するようになっている。
【００３３】
更に、判定部３４は、復号結果の正答率に基づいて、復号回路１２，２６のいずれの出力を選択するかを決定しても良い。復号回路１２，２６は、誤り訂正処理において正答率を求めることができる。復号回路１２，２６が正答率の情報を判定部３４に与えることにより、判定部３４は、誤りが少なく正答率が高い復号出力を選択させるようにセレクタ１３に制御信号を出力する。
【００３４】
次に、このように構成された実施の形態の動作について図６を参照して説明する。図６は横軸に振幅及び位相の受信強度をとり縦軸に振幅検出回路３１，３２の出力電圧をとって、判定部３４の判定を説明するためのグラフである。
【００３５】
アンテナ４６からの受信搬送波は、振幅復調回路１１及びキャリア抽出回路２１に与えられる。振幅復調回路１１は、受信搬送波の振幅に基づく復調処理によって、マンチェスター符号を得る。振幅復調回路１１の出力は復号回路１２に与えられる。
【００３６】
一方、キャリア抽出回路２１は、受信信号から搬送波を再生して、再生キャリアをＥＸＯＲ２２に出力する。ＥＸＯＲ２２は発振部４３からの発振クロックと再生キャリアとの排他的論理和演算によって、再生キャリアの位相のずれに応じたデューティのパルスを出力する。ＥＸＯＲ２２の出力パルスのデューティは、非接触ＩＣカード５１のロードスイッチ５６のオン，オフに応じて変化する。ＥＸＯＲ２２の出力はローパスフィルタ２４に与えられて積分され、ローパスフィルタ２４からは再生キャリアの位相に応じたレベルの信号が出力される。
【００３７】
ローパスフィルタ２４の出力はロードスイッチ５６のオン，オフに応じたレベルとなっており、送信されたマンチェスター符号を示している。ローパスフィルタ２４の出力はアンプ２５によって増幅された後、復号回路２６に出力される。
【００３８】
復号回路１２は振幅復調に基づくマンチェスター符号を復号化して元のデータを復元してセレクタ１３に出力する。また、復号回路２６は位相情報を用いた復調処理に基づくマンチェスター符号を復号化して元のデータを復元してセレクタ１３に出力する。
【００３９】
振幅復調回路１１の出力は振幅検出回路３２にも与えられており、振幅復調出力の振幅が検出される。また、ローパスフィルタ２４の出力は振幅検出回路３１にも与えられており、位相情報を用いた復調処理に基づく復調出力の振幅が検出される。振幅検出回路３１，３２の振幅検出結果は比較器３３において比較され、比較器３３からいずれの振幅が大きいかを示す比較結果が判定部３４に出力される。
【００４０】
判定部３４は、初期状態では、復号回路２６の復号結果を選択させるための制御信号をセレクタ１３に出力する。これにより、初期状態においては、復号回路２６の出力がセレクタ１３からフリップフロップ３６を介して出力される。これにより、アンテナ４６，５７相互の距離がヌルを発生させる場合であっても、位相情報によって、非接触ＩＣカード５１の送信データを受信して復号することができる。
【００４１】
復号回路１２，２６は、図５の同期検出用のコードＳＹＮＣを検出すると、検出結果を判定部３４に出力する。判定部３４は同期検出用のコードＳＹＮＣの検出結果が与えられると、検出した復号回路の出力を選択するようにセレクタ１３を制御する。
【００４２】
判定部３４は、復号回路１２，２６の両方から同期検出用のコードＳＹＮＣが検出されたことを示す検出結果が与えられた場合には、比較器３３の出力に基づく判定結果を得る。即ち、この場合には、判定部３４は、振幅復調出力の振幅と位相情報を用いた復調処理に基づく復調出力の振幅との比較結果によって、大きい振幅が得られた復調出力を採用するように、セレクタ１３に制御信号を出力する。なお、この場合には、復号回路１２，２６からの検出結果の発生タイミングでフリップフロップ３５からセレクタ１３の制御信号を出力させる。これにより、図５に示すように、データ伝送の比較的近いタイミングの判定結果を利用することになり、アンテナ４６，５７相互の距離が逐次変化する場合等においても、信頼性の高いデータ伝送が可能となる。
【００４３】
ところで、受信搬送波は本来振幅変調されているので、位相情報を用いた復調処理よりも振幅復調の方が復調処理の確実性は高いと考えられる。そこで、通常の使用状態では、振幅復調出力の振幅が位相情報を用いた復調処理に基づく復調出力の振幅よりも大きなレベルとなるように設定することで振幅復調を優先的に採用するようにすると共に、振幅復調出力では十分な正答率が得られない場合でも位相情報を用いた復調処理によって十分な正答率が得られるように設定することが考えられる。
【００４４】
図６はこの場合における設定を示している。図６において、実線は振幅復調時の特性を示し、破線は位相情報を用いた復調時の特性を示している。図６の例では、あるレベル以上の受信強度については、常に、振幅復調に対する振幅検出回路３２の出力の方が、位相情報を用いた復調結果に対する振幅検出回路３１の出力よりも大きいことを示している。即ち、振幅及び位相についてあるレベル以上の受信強度がある場合には、判定部３４によって常に振幅復調による復調及び復号出力が選択されることを示している。
【００４５】
なお、正答率閾値は、復号回路１２，２６における誤り訂正処理によって、１００％の正答率が得られるときの振幅検出回路３１，３２の出力電圧を示している。図６の例では、１００％の正答率を得るためには、振幅検出回路３２の出力電圧の方が振幅検出回路３１の出力電圧よりも高い必要がある。
【００４６】
図６の設定を行うことで、位相情報を用いた復調処理に基づく復調及び復号出力は、搬送波の振幅変化が復号が困難な程小さい場合にのみ選択されることになる。また、位相情報を用いた復調処理では１００％の正答率が得られやすくなっており、受信強度に拘わらず確実な受信が可能となっている。
【００４７】
このように本実施の形態においては、振幅変調された受信搬送波に対して、振幅復調処理及び位相情報を用いた復調処理を行い、これらの復調処理の出力振幅の比較によっていずれの復調処理を選択するかを決定する。これにより、リーダ／ライタと非接触ＩＣカードのアンテナ距離によってヌルが発生する場合でも、位相情報を用いた復調処理によって復号データを得ることができると共に、より確実な復号データが得られる復調処理が選択されるので、常に良好なデータ受信が可能となる。
【００４８】
なお、本発明は上記実施の形態に限定されることなく、種々の変形が可能である。例えば、端末として非接触通信機能を有する携帯電話等にも適用可能である
【図面の簡単な説明】
【００４９】
【図１】本発明の一実施の形態に係る受信装置を示す回路図。
【図２】リーダ／ライタ及び非接触ＩＣカードの概略構成を示す回路図。
【図３】横軸に時間をとり縦軸に位相をとって受信搬送波の位相の変化を示す波形図。
【図４】発振部４３からの発振クロック（ＯＳＣ）、キャリア抽出回路２１からの搬送波（再生キャリア）及びＥＸＯＲ２２の出力を示す波形図。
【図５】リーダ／ライタ４１と非接触ＩＣカード５１との間で送受されるデータのデータフォーマットの一例を示す説明図。
【図６】横軸に振幅及び位相の受信強度をとり縦軸に振幅検出回路３１，３２の出力電圧をとって、判定部３４の判定を説明するためのグラフ。
【符号の説明】
【００５０】
１１…振幅復調回路、１２，２６…復号回路、１３…セレクタ、２１…キャリア抽出回路、２２…ＥＸＯＲ、２４…ローパスフィルタ、３１，３２…振幅検出回路、３３…比較器、３４…判定部。
【図１】
2009271775.tif 000003
【図２】
2009271775.tif 000004
【図３】
2009271775.tif 000005
【図４】
2009271775.tif 000006
【図５】
2009271775.tif 000007
【図６】
2009271775.tif 000008